(57)【特許請求の範囲】
【請求項１】
筐体の側面に、上下間に同じ間隔で複数の開口部を形成するとともに、筐体内面側のこの開口部の上下の両側位置に、前記開口部を遮蔽する遮蔽板の取付具を同じ間隔で複数並設し、遮蔽板を保持部材によって取付具に固定し、前記保持部材は、筐体内側から取付具に固定される内側保持部材と、筐体外側から取付具に固定される外側保持部材とからなり、これらの内側保持部材と外側保持部材は、固定方向を直交させ、かつ外側保持部材が遮蔽板と筐体の側面との間の形成される小空間に収納される構造とし、開口部を開口させる際には、取付具から取外した遮蔽板を遮蔽する際に使用した一方の取付具に形成された保持部材固定部に固定可能としたことを特徴とする電気電子機器収納用箱。
【請求項２】
前記遮蔽板は、一端に係止片、他端に前記保持部材を備え、前記取付具は前記係止片を保持する係止片保持部と、前記保持部材を固定する保持部材固定部とをそれぞれ備えたことを特徴とする請求項１に記載の電気電子機器収納用箱。
【請求項３】
開口部を遮蔽する際には、開口部の両側位置の一方の取付具の係止片保持部に係止片を保持させ、他方の取付具の保持部材固定部に保持部材によって遮蔽板を固定することを特徴とする請求項２に記載の電気電子機器収納用箱。
【請求項４】
前記遮蔽板は、外側保持部材が固定される摺動可能な摺動金具を備えたものであることを特徴とする請求項１に記載の電気電子機器収納用箱。
【発明の詳細な説明】
【技術分野】
【０００１】
本発明は、筐体の側面に、隣接する電気電子機器収納用箱との間で配線を行なうための開口部を備えた電気電子機器収納用箱に関するものである。
【背景技術】
【０００２】
データセンター等においては、ラック型の電気電子機器収納用箱を、列状に配置している。このような電気電子機器収納用箱は、隣接する電気電子機器収納用箱との間で配線を行いたい場合がある。
【０００３】
このため、筐体の側面に開口部を形成しているが、隣接する筐体と使用するユーザが異なる場合があり、セキュリティを確保する必要がある。これらの開口部は筐体の外側、または内側の一方からは開くことができないように、内側に遮蔽板を設ける必要がある。
【０００４】
そこで特許文献１に示すように、開口部の上下に水平なレールを設け、これらのレール間にスライド可能なパネル（遮蔽板）を設けた構造が使用されている。
【０００５】
しかし、上下のレールにより遮蔽板をスライドさせるための構造が複雑になるうえ、パネルをスライドさせるためのスペースが必要となる。また、特許文献２に示すように、着脱式の遮蔽板の場合、遮蔽板を取り外した場合に別の場所に保管する必要があり、遮蔽板を紛失してしまうことがあった。
【先行技術文献】
【特許文献】
【０００６】
【特許文献１】特許第４８５４５３５号公報
【特許文献２】特開２００２−２９９８６３号公報
【発明の概要】
【発明が解決しようとする課題】
【０００７】
従って本発明の目的は上記した従来の問題点を解決し、従来よりもスペースを必要とせず簡単な構造で開口部を遮蔽することができ、しかも配線作業を行なうために取外した遮蔽版を紛失するおそれのない電気電子機器収納用箱を提供することである。
【課題を解決するための手段】
【０００８】
上記の課題を解決するためになされた本発明は、筐体の側面に、上下間に同じ間隔で複数の開口部を形成するとともに、筐体内面側のこの開口部の上下の両側位置に、前記開口部を遮蔽する遮蔽板の取付具を同じ間隔で複数並設し、遮蔽板を保持部材によって取付具に固定し、前記保持部材は、筐体内側から取付具に固定される内側保持部材と、筐体外側から取付具に固定される外側保持部材とからなり、これらの内側保持部材と外側保持部材は、固定方向を直交させ、かつ外側保持部材が遮蔽板と筐体の側面との間の形成される小空間に収納される構造とし、開口部を開口させる際には、取付具から取外した遮蔽板を遮蔽する際に使用した一方の取付具に形成された保持部材固定部に固定可能としたことを特徴とするものである。
【０００９】
請求項２の発明は請求項１の発明において、前記遮蔽板は、一端に係止片、他端に前記保持部材を備え、前記取付具は前記係止片を保持する係止片保持部と、前記保持部材を固定する保持部材固定部とをそれぞれ備えたことを特徴とするものである。
【００１０】
請求項３の発明は請求項２の発明において、開口部を遮蔽する際には、開口部の両側位置の一方の取付具の係止片保持部に係止片を保持させ、他方の取付具の保持部材固定部に保持部材によって遮蔽板を固定することを特徴とするものである。
【００１１】
【００１２】
【００１３】
請求項４の発明は請求項１の発明において、前記遮蔽板は、外側保持部材が固定される摺動可能な摺動金具を備えたものであることを特徴とするものである。
【発明の効果】
【００１４】
請求項１の発明によれば、開口部の両側位置に遮蔽板の取付具をそれぞれ設け、遮蔽板を保持部材によって取付具に固定できるようにしたので、開口部から取り外した遮蔽板を取付具に固定しておくことができ、遮蔽板を紛失してしまうおそれがない。また、遮蔽板をスライドさせるスペースも不要であり、必要最小限のスペースで形成することが可能であるうえ、従来よりも構造を簡素化することができる。さらに、外側保持部材が遮蔽板と筐体の側面との間の形成される小空間に収納される構造としたので、外側保持部材が筐体側面から外側に突出することを防止することができる。
【００１５】
請求項２、３の発明によれば、各取付具への遮蔽板の保持及び固定が容易となる。
【００１６】
【００１７】
【００１８】
請求項４の発明によれば、遮蔽板を取外しても、外側保持部材の脱落を防止することができる。
【図面の簡単な説明】
【００１９】
【図１】実施形態の電気電子機器収納箱を２台並べて配置した状態を示す斜視図である。
【図２】図１の要部の拡大斜視図である。
【図３】開口部を遮蔽させた状態を示す要部の拡大斜視図である。
【図４】取付具の斜視図である。
【図５】取付具の斜視図である。
【図６】遮蔽板の内側からの斜視図である。
【図７】遮蔽板の外側からの斜視図である。
【図８】遮蔽板の分解斜視図である。
【図９】遮蔽板を開口部に固定した状態を示す斜視図である。
【図１０】遮蔽板を開口部から取り外して取付具に保持させた状態を示す斜視図である。
【図１１】遮蔽板の固定手順を示す断面図である。
【図１２】遮蔽板の固定手順を示す断面図である。
【図１３】遮蔽板の固定手順を示す断面図である。
【図１４】他の実施形態の取付具を示す斜視図である。
【図１５】他の実施形態の遮蔽板を示す斜視図である。
【図１６】他の実施形態の要部断面図である。
【発明を実施するための形態】
【００２０】
以下に本発明の実施形態を説明する。
図１は実施形態の電気電子機器収納箱を２台並べて配置した状態を示す斜視図である。実際には多数の電気電子機器収納箱が列状に配置されるが、図面を簡素化するために２台のみを図示した。
【００２１】
各電気電子機器収納箱の筐体１の左右の側面には、同一高さ位置に、開口部２が形成されている。開口部２は隣接する電気電子機器収納箱から配線を行なうためのものである。
本実施形態では、開口部２が４段形成されている。各開口部２は縦長の長方形状であり、上下間にほぼ同等の間隔を設けて形成されている。なお、図１の右側の筐体１のように、開口部２は列状の最端部側の側面には形成しないものでも良い。
【００２２】
図３に示すように、これらの開口部２は筺体１の内面側から遮蔽板３によって封鎖されており、隣接する筐体側からは開くことができない構造となっている。この機能を持たせるために以下に説明する構造となっている。
【００２３】
図２に示すように、開口部２の上下方向の両側位置には、遮蔽板３の取付具４がそれぞれ設けられている。取付具４は縦断面が「５」の字のような形状となるように金属板を折り曲げ成形したものであり、「５」の字の縦棒の面を固定面５として、筐体１の内側面に溶接固定やねじ止めによって固定してある。
【００２４】
図４、図５に取付具４の拡大図を示す。これらの図に示されるように、取付具４の上端面６と固定面５との接続部にはスリット状の係止片保持部７が形成されている。また固定面５と平行な保持部材固定部８には、円形の固定孔９が２個形成され、さらに下端面１０の中央部にも円形の固定孔１１が形成されている。
【００２５】
図６、図７、図８に示すように、遮蔽板３は開口部２を遮蔽できるサイズの縦長の長方形状であり、左右と下側に筐体１の側面方向となる外向きに、折曲片１２、１３が形成されている。下側の折曲片１３の端部には、舌片状の係止片１４が突設されている。
【００２６】
また遮蔽板３の上端部分には、２つの内側保持部材１５が取付けられている。これらの内側保持部材１５は図６の右側（筺体１の内側）から出没操作ができるものである。このため、遮蔽板３の係止片１４を下側の取付具４の係止孔７に挿入したうえ、内側保持部材１５を外向きに押し込んで上側の取付具４の２つの円形の固定孔９に固定させると、図３に示すように遮蔽板３を上下の取付具４に固定し、開口部２を内側から閉塞することができる。
【００２７】
また遮蔽板３の上端部分であって上記の内側保持部材１５よりもやや下方位置には、上下方向にスライドできる摺動金具１６が取付けられている。この摺動金具１６は断面が逆Ｌ字状の金属板であり、その上面には外側保持部材１７が取付けられており、垂直面には長孔１８が形成されている。この摺動金具１６は遮蔽板３の外向きの折曲片１２、１２の間の空間に設けられている。このため開口部２の隣接する筐体側から摺動金具１６とともに外側保持部材１７を上昇させ、取付具４の固定孔１１に固定させると、遮蔽板３を外側から固定することができる。摺動金具１６は摺動金具保持部材となるねじ１９を長孔１８に併設することで、上下方向に平行に摺動可能である。さらに、外側保持部材１７を取付具４の固定孔１１より取り外しても、遮蔽板３から脱落することを防止できる。なお折曲片１２、１２に、摺動金具１６の左右を当接するように形成すれば、ガイドとしての機能も発揮させ、より安定して上下方向に平行に摺動可能である。
【００２８】
この実施形態では、内側保持部材１５、外側保持部材１７として、出没式のラッチ(樹脂製の小型グロメット）を用いたが、通常のねじを用いることも可能である。しかし実施形態のものは工具を必要とせずに操作できる、また必要最小限のスペースで遮蔽板３を固定できる利点がある。
【００２９】
このように構成されたものは、図１１に示すように遮蔽板３の係止片１４を下側の取付具４の係止孔７に挿入したうえ、図１２に示すように内側保持部材１５を上側の取付具４の固定孔９に固定させ、さらに図１３に示すように摺動金具１６をスライドさせて外側保持部材１７を上側の取付具４の固定孔１１に固定させることにより、開口部２を内外両側から閉塞することができる。この状態を図９に示した。このため開口部２を開口させるためには、筐体１の内外両側からの操作が必要となり、隣接する電気電子機器収納箱のユーザが同一であるような場合に限り、開口が可能となるから、セキュリティを保つことが可能となる。
【００３０】
開口部２を開口させて配線作業を行なう場合、遮蔽板３は取り外すこととなるが、本発明では図９、図１０に示すように、取り外した遮蔽板３の内側保持部材１５を下側の取付具４の保持部材固定部８に形成された固定孔９に固定させることによって、開口部２の下側位置に仮固定させておくことができる。このため、筐体１外の別の場所に保管する必要がないため、遮蔽板３を紛失するおそれもなくすことができる。なお内側保持部材１５は仮固定するだけでなく、係止片１４を隣接する開口部２に対応して形成された取付具４の係止孔７に挿入したうえ、固定孔９に内側保持部材１５で固定するものでも良い。このように本発明の構造を採用すれば、遮蔽板３をスライドさせるスペースも不要であり、必要最小限のスペースで形成することが可能となる。ここで筐体１は、図１に示すように、電気電子機器を搭載する複数のフレーム枠体１ｃで形成された筐体本体１ａ、配線やコンセントバーなどを収納する配線用キャビネット１ｂから形成されている。本実施形態の開口部２は配線用キャビネット１ｂの側面に形成されているものであるが、筐体本体１ａに形成するものでも良いことは勿論である。また筐体本体１ａのフレーム枠体１ｃには、配線用キャビネット１ｂの開口部２から引き入れた配線をさらに筐体本体１にも引き入れるための配線口１ｄを形成しており、開口部２及び配線口１ｄを開口が対応する位置に形成している。このため、筐体本体１への配線の引き入れを容易としているものである。
【００３１】
なお図１に示すように、最下端の取付具４ａは独立して形成されている。また、開口部２の下方の取付具４ｂと最下端の取付具４ａ間は、開口部２の両側位置に設置する取付具４（４ｂ，４ｃ）間と同じ間隔に形成しておく。同様に、上方の開口部２の下側の取付具４ｄ、下方の開口部２の上側の取付具４ｃ間の距離を、開口部２の両側位置に設置する取付具４間と同じ距離に形成しておく。このような構造とすることによって、開口させて遮蔽板３を固定させる場合でも、内側保持部材１５での仮固定、または係止片１４と内側保持部材１５を使用しての固定を行うことが可能である。
【００３２】
上記の実施形態では、開口部２の上下に取付具４を配置したが、左右に配置することも可能である。また上記の実施形態では、内側保持部材１５と外側保持部材１７の固定方向（操作方向）を直交させ、相互の干渉を回避した。このため内側保持部材１５と外側保持部材１７とを遮蔽板３の裏面の小空間に収納することが可能となり、外側保持部材１７が筐体１の側面から外部に突出しないようにすることができた。
【００３３】
図１４〜図１６に、他の実施形態を示す。この実施形態では、遮蔽板３は上下に内側保持部材１５を備えている。また取付具４も上下に保持部材固定部８を備えている。このため遮蔽板３は上下ともに内側保持部材１５によって取付具４に固定される。なお遮蔽板３を取外したときには、遮蔽板３の上側を下側の取付具４の保持部材固定部８に固定させておけばよい。
【００３４】
以上に説明したように、本発明によれば、従来よりも簡単な構造で開口部２を遮蔽板３によって閉塞しておくことができるとともに、開口部２から取り外した遮蔽板３を複数併設された取付具４に固定しておくことができ、遮蔽板３を紛失してしまうおそれがない利点がある。
【符号の説明】
【００３５】
１  筐体
１ａ  筐体本体
１ｂ  配線用キャビネット
１ｃ  フレーム枠体
１ｄ  配線口
２  開口部
３  遮蔽板
４（４ａ〜４ｄ）  取付具
５  固定面
６  上端面
７  係止片保持部
８  保持部材固定部
９  固定孔
１０  下端面
１１  固定孔
１２  折曲片
１３  折曲片
１４  係止片
１５  内側保持部材
１６  摺動金具
１７  外側保持部材
１８  長孔
１９  ねじ
【図１】
0006667944.tif 000002
【図２】
0006667944.tif 000003
【図３】
0006667944.tif 000004
【図４】
0006667944.tif 000005
【図５】
0006667944.tif 000006
【図６】
0006667944.tif 000007
【図７】
0006667944.tif 000008
【図８】
0006667944.tif 000009
【図９】
0006667944.tif 000010
【図１０】
0006667944.tif 000011
【図１１】
0006667944.tif 000012
【図１２】
0006667944.tif 000013
【図１３】
0006667944.tif 000014
【図１４】
0006667944.tif 000015
【図１５】
0006667944.tif 000016
【図１６】
0006667944.tif 000017